(57)【要約】  本発明は、壁２３に隣接して高さを調整するためのテレスコープ型フレームアセンブリ（１）について言及する。このフレームアセンブリ（１）は、荷重を支持するためのブラケット構造と高さ調整のための自律固定型テレスコープ型支柱とを含み、このテレスコープ型支柱の移動は、個々の駆動器の同時制御か機械手段によって同調され、一方の支柱部分は、実装可能な支持足を備え壁に取り付けられ、水平配置のための常に外接した形状の独立主要梁（４２）を備え、そしてこの主要梁の長手方向で、垂直テレスコープ型支柱と水平ブラケットの両者の固定と位置決めのための手段（５２、５３）とを備え、これによって、この主要梁に沿って自由に位置を指定することができる。テレスコープ型支柱は、個々の部品として、専用の位置決めと固定手段（４９、５４）とを備えており、この手段は前記主要梁を指定した位置で実装する。また、個々の部品としてブラケット（４４）は、前記主要梁（４２）を前記指定した場所で実装するための専用の位置決めと固定手段（４７、４８、４９、５０）を備えている。更に本発明は、洗面器や浴槽等への実装のため、このようなアセンブリの使用についても言及している。【選択図】図５
2007533923.tif 000002
【特許請求の範囲】
【請求項１】
壁（２３）に隣接して、床面高さより上で高さを選択自在に調整するテレスコープ型耐荷フレームアセンブリであって、
‐支持される十分な静荷重構造を実装するためのブラケット構造；
‐少なくとも２本のテレスコープ型支柱であり、高さ調整移動と選択された高さでの自律固定を実現する手段；
からなり、
‐前記少なくともの２本のテレスコープ型支柱について、該テレスコープ型支柱の移動は、接合機械手段および／または個々の駆動装置の共通制御により同調され；
‐少なくとも２本のテレスコープ型支柱の各々のうち一部が、壁に固定実装され、または頑丈な補助支持脚／足を有し、
更に、前記テレスコープ型耐荷フレームアセンブリが少なくとも、
‐十分に水平に配設するための、長手方向に沿い常に外接した形状の独立した非常に長い主要梁（４２）であり、鉛直テレスコープ型支柱（４３）と水平ブラケット構造ブラケット（４４）の両者を、前記主要梁（４２）に沿った位置で、その長手方向で自由に、または最大５０ｍｍもの微小単位で段階的に選択自在に位置決め、かつ固定を可能とする準備手段を含む前記主要梁；
‐個別の部品である少なくとも２本のテレスコープ型支柱（４３）であり、前記選択された位置にて前記主要梁（４２）へ実装するための専用位置決め手段と固定手段（４９、５４）を備えた前記テレスコープ型支柱；
‐および個々の部品である少なくとも２本のブラケット構造ブラケット（４４）であり、前記選択された場所において、主要梁（４２）へ実装するための専用位置決めと固定手段（４７、４８、４９、５０）を備えた前記ブラケット
からなることを特徴とするテレスコープ型耐荷フレームアセンブリ。
【請求項２】
請求項１に記載のアセンブリであって、前記主要梁の長手方向での逃げ溝（５２、５３）形態の前記準備手段が、該主要梁（４２）に沿って、連続的かつ平行に伸延し、望ましくは、突出形状断面を呈し、望ましくは金属製であり、更にアルミニウムの含有量が高いことが望ましいことを特徴とするアセンブリ。
【請求項３】
請求項１または請求項２に記載のアセンブリであって、前記主要梁（１０）の長手方向で常に外接する形状は、ほぼ矩形であり、該梁を水平に実装した場所では、ブラケット（４４）とテレスコープ型支柱（４３）とをそれぞれ実装するための２つの鉛直及び水平側面を提供することを特徴とするアセンブリ。
【請求項４】
請求項２、あるいは請求項３に記載の特徴を有するアセンブリであって、テレスコープ型支柱（４３）および／またはブラケット（４４）を前記主要梁（４２）へと実装／固定する手段の部品（４８、５４）は、前記逃げ溝（５２、５３）内部に配設され、該配設の際、前記溝方向に直交して幅の拡張がされ、これによって溝の出口幅よりも広くなり、前記部品（４８、５４）は、調整手段（４９）への接続をするための少なくとも一つの手段を有し、該手段はネジ（４９）用の少なくとも一つの螺入穴であることを特徴とするアセンブリ。
【請求項５】
請求項４に記載のアセンブリであって、前記逃げ溝（５２）に配設される部品（４８）は、側面から前記溝（５２）内部の正確な場所へと、望ましくは回転移動を可能にするために十分に自由な断面積を有する溝での回転移動に続く該溝の出口を通した直進移動によって挿入することを可能にする形状と寸法を有することを特徴とするアセンブリ。
【請求項６】
前記請求項のうち一つまたはそれ以上の請求項に記載され、また結合機械手段によって同調される少なくとも２本のテレスコープ型支柱の移動を有するアセンブリであって、前記機械結合手段（１０）は、その長手方向に常に外接形状を呈する軸材の長さ部材であって、従ってこの形状は対応する穴内の挿入と該穴を通しての挿入による緩みを無くすことで、いずれかの方向でのねじれによる偶力を直接伝えることを可能にすることを特徴とするアセンブリ。
【請求項７】
請求項６に記載のアセンブリであって、長手方向に常に外接形状を呈する軸材の機械結合長は、一つまたはそれ以上の対応するテレスコープ型支柱を通して挿入及び取り外し可能となるような長さであることを特徴とするアセンブリ。
【請求項８】
前記請求項の一つまたはそれ以上の請求項に記載のアセンブリであって、前記テレスコープ型支柱（４３）と前記ブラケット（４４）は、それぞれ同一であることを特徴とするアセンブリ。
【請求項９】
前記請求項の一つまたはそれ以上の請求項に記載のアセンブリであって、前記主要梁（４２）は、前記ブラケット（４４）により定まる高さ以外の高さで、十分な静荷重に耐荷するための第二耐荷構造を実装することを特徴とするアセンブリ。
【請求項１０】
前記請求項の一つまたはそれ以上の請求項に記載のアセンブリの使用であって、壁への設置のため、手洗い器、便器などを実装する際、必須となるブラケット（５８）は、実装する壁を模倣した面を備えて設計されることを特徴とするアセンブリの使用。
【請求項１１】
前記請求項１−９の一つまたはそれ以上の請求項に記載のアセンブリの使用であって、組み込み型ベンチトップ型洗面器、浴槽などの実装の際、前記必須のブラケットは、バー（６０）へと接合され、前記洗面器、浴槽などの少なくとも全ての縁部の下方で、いくつかの荷重分散パッド手段を介して、連続的な支持を得るような構造を形成することを特徴とするアセンブリの使用。
【請求項１２】
請求項１、またはそれ以降の請求項２−１１のうち一つまたはそれ以上の請求項に記載の構成要素の使用であって、床上高さより上で高さを選択自在に調整するための、得られたテレスコープ型耐荷フレームアセンブリは、足を備えた少なくとも２本のテレスコープ型支柱に水平に配設された主要梁を備えるか、または該主要梁（４２）に実装されたブラケット（４４）上に更に支持された構造を共通に耐荷支持するための、同じ高さで共調する複数の主要梁を具備して、自立していることを特徴とする構成要素の使用。
【発明の詳細な説明】
【技術分野】
【０００１】
本発明は、高さを選択自在に調整可能な構造向けのテレスコープ型耐荷フレームに関する。さらに詳細に言うと、本発明は請求項１の前文に基づいたテレスコープ型耐荷フレームアセンブリに関する。本発明の構成要素の使用もまた請求される。
【背景技術】
【０００２】
この種のテレスコープ型耐荷フレームアセンブリは、幅広い応用で見られるものである。更に、このようなアセンブリは、可変な高さ調整を伴う設置が必要な、体の不自由な人／身体に障害のある人のための構成で使用されることが望ましい。例えば、台所に取り付けられる場合、この種の一つまたはそれ以上のテレスコープ型耐荷フレームアセンブリは、とても有効である。何故ならば、高さを選択自在に調整できることで、台所作業中に、場合によっては使用者が車椅子に座った状態で、快適に立ったり、中腰での立ち座り、或いは座ったりと、テーブルトップが使用者が必要とする高さになるまで使用者により調整することが可能となるからである。
【０００３】
特に、車椅子の使用者にとって、テーブルトップの下方には、十分に空いたスペースが必要である。それは、このテーブルトップの使用者側の縁とその側面の両方に直交した平面方向において、このテーブルとそこで考えられる設備に手をのばすため、その縁付近に胴体／アームを持たせ、それぞれをたやすく操作するためである。これによって、ブラケット構造が、流し台、水道の蛇口、および調理用加熱プレートなどを組み込んだキッチンテーブルトップ等を、後方から突き出たかたちで支えることができる。そして、テーブルトップの使用者に面する側の下方にある障害物を取り除くか、少なくとも十分に減らすことで、車椅子などの使用者にとっての空いたスペースを確保する。
【０００４】
このようなテーブルトップは、電気、お湯／水の蛇口、および排水口の固定設備への接続を必要とする場合が多く、このような固定設備への接続が必要なテーブルトップは、しばしば、このテレスコープ型耐荷フレームアセンブリを介して、電気、水道と下水管への接続のため、コンセントを備えた壁へと設置される。仮にこのような壁が、テレスコープ型キャリングフレームとこの壁に加わる静的及び動的荷重に対して、十分な耐荷性を有していないと査定された場合、壁に固定設置されたテレスコープ型支柱は、頑丈な補助サポート脚／足を具備することが可能である。これにより、壁に沿った鉛直方向の荷重を脚、または強固な足を介して床が吸収するように伝え、そして、使用者（に面する）側が下がることを防止する偶力を供給することが可能となる。壁の材質／構造が、極めて弱いかまたは多孔質である場合には、アセンブリの場所を決めることのみが可能であり、一方荷重は、床によって吸収される。
【０００５】
明らかに（テーブルトップの）固有の部分に加えて、静荷重は、一つ、またはそれ以上の食器棚、冷蔵庫／冷凍庫、（食器）洗い機など、そしてこのテーブルトップの下で吊るされている物にも起因する。動荷重は、食品、調理用鍋、台所道具や流しの水などの、常に同じ位置に存在しない要因に起因し、更に計算するべき寄与としては、落下防止などのためテーブルをつかんだり、このテーブルによりかかる人からの反作用力がある。
【０００６】
車椅子などで他に使用可能なスペースを占有するため、テーブルの下に配置する代わりに、食器棚をテーブルトップ上方、そして壁に従来のように設置できる。ここで、これらをこのテーブルトップのサポート機能に対応した機能を備えた可動フレーム構造へ設置することも可能である。もしくはテレスコープ型耐荷フレームアセンブリが、前記食器棚などをより高い場所で支えるための構造を組み込むことが可能であり、このようにすることで、高さ調整中でもテーブルトップとの相対的な鉛直距離を、一定に保つ。
【０００７】
以上、台所での使用について、本発明の背景を説明するうえでのモデルとして用いた。しかし、もちろん似たような状況が、例えば、浴室や化粧室での洗面台、家の所有者の作業台、公共施設や専門の労働環境などでも考えられる。
【０００８】
通常、陥入手段を備えた２本の支柱が、壁に備え付けられている。これら支柱の動きは、極めて甚大で破壊的な荷重を構造に対して与えうるような陥入位置での往復及び全体の長さの違いによって故障することを防ぐため常に同調する。関連技術で良く知られる安全及び防護上の配慮により、陥入動作は、しばしばネジとナットの原理を介して実現される。これは、本質的な動力源が接続されていない放置状態での自己防衛であり、これによって突然の予測不可能な移動を防止する。テレスコープ型支柱における機械ネジ系は、例えば共軸と局所ギアを介して、同調のため機械接合される。一方、例えば個々の電気駆動器は、該当するテレスコープ型支柱当たり一つが、ネジとナットの原理、あるいはそれに類する原理に基づいて機能し、これら駆動器が共通制御手段を介して、調整参照無しにパルスカウントに基づき同調され、しばしば極端な位置でのカウントリセットを必要とする。
【０００９】
出願前に特許文献を徹底調査したところ、否定的な結果を得た。
【００１０】
ほとんどの従来技術は、デンマーク、ＤＫ−４７００の製造／販売会社であるＲＯＰＯＸ社の”ＫｉｔＦｌｅｘ”という製品名称で開示された事業製品であると見なされてきた。少なくとも第一優先権付与出願のファイリングされる以前及びその当日まで、ほとんどの関連技術は、ＲＯＰＯＸＯ１のホームページｗｗｗ．ｒｏｐｏｘ．ｃｏｍとｗｗｗ．ｒｏｐｏｘ．ｄｋから、そして、専用リンクｈｔｔｐ：／／ｗｗｗ．ｒｏｐｏｘ．ｄｋ／Ｋａｔａｌｏｇ／ｅｎｇ／ｋｏｅｋｋｅｎｔｅｇｎｉｎｇｅｒ＿ｕｋ．ｈｔｍとｈｔｔｐ：／／ｗｗｗ．ｒｏｐｏｘ．ｄｋ／Ｋａｔａｌｏｇ／ｄａｎ／ｋｏｅｋｋｅｎｔｅｇｎｉｎｇｅｒ．ｈｔｍからそれぞれ公開されている。
添付図面のうち図１−４は、もっとも関連のある技術を図示するため、これらのリンクからの複製である（但し、煩雑な詳細部をいくつか削除することで僅かに変更している）。
【００１１】
さらに詳細な説明が必要ではなく、図１−４までから直接分かるように、最も関連のある従来技術によれば、テレスコープ型耐荷フレームアセンブリは、２つの基本フレーム構造から構成されている。これらのフレーム構造は、構成要素を含む少なくとも２本の支柱手段によってこれら両フレームから陥入できるように正確に溶着される。下方フレームは壁に固定して備え付けられていて（図３）、そして前述の理由から十分な安定性のため、脚（図２）により補強されるか、あるいは平らな足（図１と図４）によって補強される。上方フレームは、このアセンブリの相対移動部であり、Γに似た形状を呈する端面図で示されており、このΓの上方水平ブランチは、図３で示されるような台所での使用におけるテーブルトップなどの荷重を支えるためブラケット構造土台フレームを表し、一方Γの垂直ブランチは、固定フレームから共同部品と協働するテレスコープ支柱の移動部を“含む”。工場では、このようなアセンブリは、即ち高さ調整移動を実現する手段の実装と調整を備えて完成される。これは手動機械同調クランク手段（図１）であっても良く、あるいは従来技術で良く知られるところの共通制御手段（図示せず）と同調した支柱（図２および図４）ごとに備えた電子駆動器であるのが望ましい。完成したアセンブリは、かなり大きな構造のユニットとして輸送され、この際、壁への備え付けやブラケット土台フレームに固定されたキッチンテーブルトップ等を受け入れられる準備がなされており、この土台フレームへの固定には、この土台周囲を通すか、或いはその上の耳を通して下方からネジ等を用いる。
【００１２】
このようなアセンブリが、工場から運ばれ当該壁へ完全に取り付けが終了し機能している状態までの取り扱いの流れにおいて、主要な２つの欠点の組に直面する。第一に、このようなかさばったアセンブリを輸送し、更に積載することは、このために使用する標準コンテナーモジュールの容量を、効率良く生かせないため、比較的高額となることである。
第二に、顧客からの拒否が起こり、この際再製造を要求される。それは配達された商品の品質の問題ではなく、当該壁の電気／水道／排水管を固定設置する場所に関する顧客からの予め伝えられた情報が正確でないか、この壁に備え付けるために注文したアセンブリの製造者へとさらなる情報が伝えられることなく、その後の施工段階中に前記予め伝えられた情報が変わってしまうことが原因である。
それ故、この固定フレームにおける支柱や水平梁は、このようなコンセントなどとの不調和が起き、これによって、そこでの使用を不可能とする。
二組目の関連する他の欠点としては、テーブルトップの構造との不調和があり、このアセンブリの注文後に、別の場所に追加されたり、または移動される場合もありうる。例えば該当するキッチンテーブルの使用者が、想定されるように右利きではなく、左利きの人であったというような状況は簡単に発生する。このような不一致は、図１と図３を比較することで容易に理解することができる。土台梁を通した工場での固定位置を有し、更に別のクランクハンドル手段（図１の土台フレームの遠端）による手動陥入移動のため、このアセンブリ上に配置された場合、この軸はテーブルトップのビルトインの流し台などを通り抜けることができない（図３の土台エリアの対応する端部）。
【発明の開示】
【００１３】
このため、本発明の目的は、該種類の改良されたテレスコープ型耐荷フレームアセンブリを提供することであり、このフレームアセンブリは、上記に示した問題を解決するだけでなく、下記に説明するようにこれ以外の利点も提供する。
【００１４】
本目的は、壁に隣接し床面高さよりも上で高さを選択自在に調整するためのテレスコープ型耐荷フレームアセンブリにより実現される。
【００１５】
このフレームアセンブリは、その上にかなりの静荷重を有する構造を支えるためのブラケット構造、及び高さ調整移動を実現し、選択された高さにおいて、自律固定する手段を含む少なくとも２本のテレスコープ型支柱を含み、この少なくとも２本の支柱について、このテレスコープ型支柱の移動は、接合機械手段および／または個々の駆動装置の共通制御によって、同調される。これらの少なくとも２本のテレスコープ型支柱のうちの一部は、壁に固定実装され、可能であれば頑丈な支持脚／足を含む。
【００１６】
本発明によるこのようなアセンブリは、少なくとも、以下の構成要素を含む。それは、独立した非常に長い主要梁であり、十分に水平な配置のため、その長手方向に常に外接した形状を呈し、鉛直テレスコープ型支柱と水平ブラケット構造ブラケットの両者の位置決めと固定を可能にするその長手方向での準備手段を有し、これらの位置は、前記梁に沿って自由に、あるいは、最大５０ｍｍの微小単位で段階的に選択自在であるようなこの主要梁と、個々のユニットである最小２本のテレスコープ型支柱であり、選択された位置に前記主要梁を備え付けるための個々の位置決めと固定手段とを備えたこのテレスコープ型支柱、および個々のユニットである最小２つのブラケット構造ブラケットであり、選択された位置に前記主要梁を備え付ける個々の位置決めと固定手段とを備えたこのブラケットである。
【００１７】
この方法によって、このアセンブリを切り離した棒状の部品として輸送し収納することで、コンテナーのより効率のよい積載が実現可能となり、前述の第一組の欠点は解決される。
【００１８】
第二の種類の欠点も、テレスコープ型支柱とブラケットの位置決めが、取り付け場所において前記主要梁に沿って固定位置を正確に決める使用時まで待てるため、ここで避けることが可能である。切り離された支柱とブラケットが、工場の外で簡単に主要梁へと実装できるため、実際の環境が尊重される。更にこのことは、建物の狭い戸口などを通す輸送をより容易にする。
【００１９】
このテレスコープ型支柱は、組み込まれた耳などを介し、もしくはこの支柱を共通の理想的な壁面に適合する挿入シムを用いて壁へと固定される。しかし、実際は、物理的に平らでない壁面に接合される。
【００２０】
単なる穴ではなくても、この主要梁の長手方向の準備手段は、逃げ溝を有することが望ましく、この溝は連続的にかつ平行に、全主要梁に沿って伸延する。このような形成溝は、大きな棒の断面から圧延することが可能であるが、この主要梁は、好ましくは突出形状断面であること、そして好ましくは金属材質であること、更にはアルミニウムの含含量が高いことが望ましい。何故ならば、このような金属合金は、経済的に要求される完成形状へと直接押し出すことが可能で、更に、耐荷要求を満足する為に十分な機械特性を備えているからである。金属に代わる材質としては、グラスファイバー補強ポリエステルのような高分子複合材料等があり、これは腐食環境にて本発明を導入する場合に選択されうる。
【００２１】
更に、主要梁に沿い常に外接する形状は、矩形であることが可能であり、水平実装位置では従って、この梁はブラケットとテレスコープ型支柱をそれぞれ実装するため２つの鉛直および２つの水平側面を提供することが可能である。この方法では、組み立てがさらに容易になる。それは、これらの平らな面が支柱とブラケット上の対応する平面により、簡単に接合できるからである。そして、この主要梁の対応する面を押す支柱とブラケットからのセットネジなどにより、少ない調整での単純な固定が求められる。一方、ネジなどの補強手段により、溝などに固定される。
【００２２】
テレスコープ型支柱および／またはブラケットを主要梁へと実装及び固定する手段の一部は、前記逃げ溝に配置できることが望ましい。この配置について、溝方向に直角に寸法が広がり、この寸法は溝の開口部の間隔よりも大きい。この部分は、さらに調整手段への少なくとも一つの接合手段を含み、この手段はネジ用の少なくともひとつの螺入穴であることが望ましい。位置決め要素（溝の開口部での半径を通して）と調整部品（固定部の螺入穴を支柱とブラケットの耳などから逃げ溝へと結合すること）としてのネジの使用は、多くの場面において、満足できるものであることが示された。更に、極めて経済的な手段であることも示された。
【００２３】
溝の開放端からの摺動により、このような固定部を溝へと配置する間、常に可能なことではあるが、既に実装した部分を外すことが必要であり、ここでこの摺動を止めている。特に、修理の状況及び場合には、より重量のある負荷を使用する際の変化のため、ブラケット等を更に実装する。逃げ溝に配置されるこの固定部品は、側面からこの溝への正確な切り下げ位置への挿入を可能にする形状と大きさをもつことが望ましい。またこれは転動を可能とする十分広い断面積を有する溝でのこの転動移動に続く、この溝の口を通した直進移動によるものであることが望ましい。このため、すでに実装されたブラケットなどを外さずに、このような実装を実現できる。主要梁とテーブルトップの両方に、繊細であり、且つ、分解・組み立てが難しい細部をこのブラケットと接続した開放端部に追加装着してきた。従って、追加のブラケットを独立して実装することによって、かなりの労力とコストを節約する。
【００２４】
本発明のアセンブリが、接続機械手段という方法で同調させた少なくとも２本のテレスコープ型支柱の移動を有する状況では、これら結合手段は、その長手方向の非円形外接形状を呈する軸材の長さ方向の一部である。この形状によって、対応して形成した穴内部とこの穴を通して挿入することで、ねじれ偶力を、いずれかの方向にほぼ反動なしに直接伝えることを可能にする。更にこれにより、支柱を陥入するための手動クランク移動を伝え、対応する貫通穴を備えたギア装置は、テーブルトップに設置された流し台などを意識せずに、適切な位置で固定、かつ配置されるようなその同調軸に沿って、自由に移動することができる。同調軸の貫通穴に対応した形状を呈する駆動機構は、手動クランク装置となる代わりに、同様の実装設備を備えた制御可能電気モーターギア装置ともなりうる。
【００２５】
その長手方向の一定の外形状を備えた軸材の機械結合長は、一つまたは複数の該当するテレスコープ型支柱を通して挿入可能・取り出し可能であることが望ましい。これにより、軸をこの軸方向で摺動することで、この同調軸からテレスコープ型支柱および／または手動クランクと電力ギア装置までの機械接合が、部品を交換しなければならなくなる状況を容易に防止することが可能である。更に、この軸の取り外しも、この方法を容易にする。
【００２６】
コストと管理の点から、テレスコープ型支柱および／又はブラケットは、それぞれ同一であることが望ましく、これによって、製造と在庫の製品数を減らすことが可能であり、更に、使用者側での誤った実装をするような危険性も減らすことができる。
【００２７】
主要梁は、別の耐荷構造を実装するための手段を備えることが望ましい。この耐荷構造は、ブラケットによって定まる高さとは別の高さで十分な静荷重に耐えるためのものである。例えば台所における使用では、さらに食器棚をキッチンテーブルトップと共に同時に高さ調整のために、アセンブリへと実装することも可能である。従って、この食器棚の高さ調整のため、別の装置を使用することはなくなる。同様に浴室などでは、例えば、鏡、照明、サイド棚とそして、電気ヘアー・ドライアーなどのための主要コンセントは、ブラケットが移動させる洗面台と共に移動できるようにも実装可能である。
【００２８】
最後に、請求項の範囲内における本発明のアセンブリの明白な別の利用からは、床面高さよりも上での高さの選択的な調整のための更に応用したテレスコープ型耐荷フレームアセンブリも得られる。これは、壁から独立したスタイルのものである。そして、本発明のアセンブリが、足を備えた少なくとも２本のテレスコープ型支柱上に水平配置された一本の主要梁か、もしくはより多くの水平主要梁を有することが可能であり、この水平梁は、この主要梁に実装されたブラケット上で支持された構造の共通耐荷支持のために同じレベル（高さ）で同時に作動する。後者の場合では、支柱は通常床に接触するための脚のみを必要とする。それは、実装されたテレスコープ型支柱は、脚からの偶力を更に安定化させる必要がなく、加えられた荷重を安定的に支持するため、十分に広がっているからである。
【００２９】
本説明に添付される図面は、一部は従来技術を、更に一部は特に限定しない例とした本発明の推奨実施例を示している。前記図面のうち、図１から４は、上記のように最も関連のある従来技術を示すため開示しており、以下に示す。
【００３０】
図１では、従来技術のテレスコープ型耐荷フレームアセンブリを示す。これは、壁に隣接して、床面高さよりも上で選択自在に高さを調整するためのものである。本形態は、支柱に脚を備え、更に個々のハンドルによる手動クランク型である。
【００３１】
図２は、従来技術のテレスコープ型耐荷フレームアセンブリを示す。これは、壁に隣接して、床面高さよりも上で選択自在に高さを調整するためのものである。本形態は、外部から見えにくい脚を備えた各テレスコープ型支柱につき、個々に電気駆動器を備える。
【００３２】
図３は、従来技術のテレスコープ型耐荷フレームアセンブリを示す。これは、想像上の安定した壁へと接続され、かつ排水口を有する流し台、水道の蛇口、および調理用の過熱プレートを設置したキッチンテーブルトップを移動させる形式である。上記テーブルトップを備えたアセンブリには、いくつかの食器棚が、同じ想像上の壁へと接合される。
【００３３】
図４は、上記以外の従来技術のアセンブリであり、これは、図２の脚を脚に置き換えたものと、図１の手動駆動を電動駆動器に置き換えたものと見なせる。
【００３４】
本発明によるアセンブリは、以下に示す図５から１２で図示されている。
【００３５】
図５は、複数の脚と手動駆動器を備えて実装された状態の本発明のアセンブリを示す。
【００３６】
図６は、図５の実施例を僅かに展開した形態を示す。展開することで、最も重要な詳細を示す。
【００３７】
図７は、主要梁逃げ溝用の固定及び調整手段を備えた本発明によるブラケットの上方からの斜視図を示す。
【００３８】
図８は、主要梁の鉛直側へと装着されるようにした図７における本発明のブラケット端部を示す。
【００３９】
図９は、開放端から実装手段を備えた耳へと向けて見た状態の図７および／または図８によるブラケットを示す。
【００４０】
図１０は、主要梁におけるそれぞれの逃げ溝に配置された固定部を示した低品質の写真を示す。
【００４１】
図１１は、壁に取り付けられた洗面台用に専用ブラケットを用いて、浴室での手洗い台を装着するための本発明によるアセンブリの使用を示す。
【００４２】
そして、図１２は、アセンブリ上に乗せることで、下から支えるような組み込みベンチトップ型の手洗い器を装着するための本発明によるアセンブリの使用を示す。
【発明を実施するための最良の形態】
【００４３】
図１から４では、壁に隣接して床面高さより上で高さを選択自在に調整する同じ形態のアセンブリのうち、従来技術のテレスコープ型耐荷フレームアセンブリを、上記の様に最も関連する従来技術の参照番号を同じにしつつ、僅かに変更した複製図により示している。
【００４４】
図１から４は、以下のように容易に区別できる。
【００４５】
各アセンブリ（図１、２、４）に関して、２本のテレスコープ型支柱２は、上記のように、足３（図１および図４（壁が極めて弱い場合））を、もしくは脚４（図２（見えにくい）これは単に鉛直力を伝えるため）を、補助的に備え付ける。Γの形状を呈する上部／可動溶着フレームには、上部Γブランチでの土台となるブラケット構造とΓの鉛直ブランチにおけるテレスコープ型支柱用の内部部品とが含まれる。壁２３（図３）へと装着するための下方固定フレーム６には、壁への固定手段としての耳１４が含まれ、水平トラバース７を介して互いに保持されている。そしてこの上方フレーム５から対応する内部部品に完全に適合するように、外側のテレスコープ型支柱２の部品用に平行なスペースを作り出す。このアセンブリの陥入移動は、駆動器８を介して実現される。この駆動器８は、それぞれ支柱２に搭載され、既知の原理によって同時に制御される。この他の方式として、この支柱を、各支柱についてギアリングと自律固定ねじ・ナットの組み合わせを併用することにより、手動で駆動することが可能である。クランク軸１２を介して、独立ハンドル１３からギア１１まで、これらの手動駆動によるテレスコープ型支柱９は、同時に駆動可能である。それは、同調軸１０が手動ギア１１を通過し、更に、各手動支柱９の内部ギアリングに到達するからである。もちろん、支柱が外部実装された駆動器８により駆動される場合には、この支柱の内部ギアリング等が省略される。
【００４６】
テーブルトップ１６の自由端にて、排水口１８を有する流し台１７、蛇口１９、電子加熱プレート２０と備品及び調節機２１を組み込んだキッチンテーブルトップ１６（図３）等は、しばしば取り付けや使用の現場では、ねじなどを介して、ブラケット構造５の耳を通してこのアセンブリへと設置される。このような台所では、車椅子使用者への利便性のため、食器棚２２（図３）をキッチンテーブル下方のスペースを占有することなく、壁２３へと備え付けることができる。
【００４７】
図５では、“壁への実装とテーブルトップへの実装をする前段階”での本発明のアセンブリを示す。図６では、同じアセンブリ４１を多少展開して示すことで、主要梁４２への実装原理をより明瞭にしている。図５と６で示す形態は、番号３のような足、もしくは何も設置しない代わりに、手動テレスコープ型支柱４３において、ここでは脚４を選択しているため、十分な支持性を備えた壁に適している（優れた耐荷特性を備えた極めて安定した壁用）。ハンドル１３、ギア４５と同調軸１０を介し、二本のテレスコープ型支柱４３へのクランク回転に関する手動形態を示す。このテレスコープ型支柱４３は、従来技術型９と同じ原理に基づき構成されるが、矩形外接形状を呈する本実施例の主要梁４２の実装面と手段を備えた一つの部品として完成される。従来技術の土台ブラケット構造５の代わりに、本発明のアセンブリには複数の独立したブラケット４４が含まれる。このブラケットは、同じアセンブリについては全て同一に製造されることが望ましい（もちろん、テーブルトップの深さの変動、もしくは装着される製品の特別な要求等による相違もありうる）。このブラケットの開放端４６では、備品及び調節器２１への接続のための接続金具５１とテーブルトップ１６へ固定するための耳１５を備えることは、従来の手段でも実装可能である。
【００４８】
ここで、主要梁４２の実装についてさらに詳細な説明をするため、図７−１０を用いブラケット４４について説明する。但し、支柱４３と手動ギア４５についても同様である。図１０で粗く示されるように、主要梁４２の右端形状が示されており、図１０の下方と左側には、逃げ溝５３と５２が示される。この逃げ溝は、特に前記支柱とブラケットをそれぞれ装着するためのものである。
【００４９】
図５と６での個々のブラケットを、図７で同じ位置で斜視的に示す。図７では、ブラケット４４の実装端部において、耳４７が示されている。この耳は調節ねじ５０用の螺入穴と調整手段４９の位置決めと調整のための貫通穴を有する。もちろん、このような手段４９は、主要梁４２における溝の固定のため、いかなる程度の遊びが無い様な形状と正確な大きさで精密に作られる。しかし、本実施例においては、ねじ４９のような簡易な位置決めや調整手段が、、意図された目的のためには十分であることが示された。この耳４７を通して、前記ねじ４９が固定部４８での螺入穴と結合し、これは図８と９から分かるように、矩形面形状として設計される。この矩形面形状は、それぞれの耳４７を通して、２つの位置決め調整ねじ４９のためのねじ山を備えている。ここで、緩みねじ４９と固定部４８とを備えたブラケット４４（左側）は、主要梁４２の端部からこの主要梁鉛直側の後部にある逃げ溝５２へと摺動できることが、図１０から容易に理解できる。同時に、ブラケット４４の端面は、梁長手方向の所望の位置までこの梁に沿って摺動する（テーブルトップ下方にある流し台や他の障害物などを、後で配設できるようにするため、開放している）。ブラケット端面を梁の側面へと安定接合するため、この固定部が溝５２での切り下げ位置で固定配設されるように、ねじ４９が正確な場所で固定される。通常、大きさ、突出形状と材質との組み合わせにより、特にブラケット４４と支柱４３を介して、伝わる屈曲とねじれモーメントを安定してかつ強固に受けるような機械特性を主要梁は備える。しかし何らかの理由でブラケットの自由端を持ち上げる必要がある場合、この自由端は調節ねじ５０を介して、このブラケットの耳４７から、調整ねじ４９の下方で、主要梁の縦方向の側面に対して正確に圧するように調整しながら、ある所望の高さまで調整できる。このような調整機構は、従来技術でも良く知られるところである。このブラケット４４を主要梁へ固定する間、このような調節を実施する。図９で、この配置を最も明瞭に示す。更にこの配置は、主要梁４２の方向でブラケットの開放端の細かい調整を行うことが可能である。
【００５０】
更に、このテレスコープ型支柱４３および／または対応する駆動器を作動させたモデルは、同じ原理に基づいて主要梁４２へと実装される。図５及び１０では、支柱用の固定部が番号５４として示される。更にこれら支柱は、使用場所で、主要梁（完全にブラケットから独立していて、逆もまた同様である）に沿って、支柱内部の穴を通してねじ手段４９によりこの主要梁４２に固定する前に、壁に備え付けられたコンセント等がない所望の位置へと摺動可能である（図１０）。
【００５１】
この固定部４８が、このブラケットの耳４７からねじ４９の接合のため、正確な固定位置を探すように、横から逃げ溝へと摺動し、この中で転動可能であれば、例えば、他のブラケット間に追加のブラケットを配設することで、労力をかなり抑えることが出来る（このための明確な手段ももちろん提供可能である）。図１０におけるこの切り下げブラケット実装溝５２は、この設備を提供するのに十分であるが、一方支柱を実装するための下面逃げ溝５３については、溝の形状に余裕がないために、図１０で示される本実施例では提供されない。
【００５２】
通常同調軸１０は、同時に、有利なねじれ剛性と十分な非円形を提供する６角形の形状を呈する。これにより、合わせ穴での挿入により、クランクギア４５から手動テレスコープ型支柱のギアリングへのモーメントを直接伝えることを可能にする。実装プレート５７を介し、障害物のない所望の位置へと摺動するギア４５は、ブラケット４４と同じ手法で実装される。前記実装ギア４５における６角形の貫通穴が、使用する支柱の６角形の貫通穴と合わさるように、このプレートは形成される。代替案として、手動クランクギア４５を用いる代わりに、適切に設計された電気ギアモータ装置（図１１の５７）を、類似の実装装置とともに同軸上の貫通穴を介して実装することも可能である。更に、この支柱が同一であることが望ましく、各支柱にはそれぞれ２つの直線上の外部穴５５（図５、６、１０）を備える。これによって、同調軸１０の貫通を可能にする。通常、この軸１０は、主要梁４２よりも僅かに短く設置される。もちろん、常に、最も離れた場所の手動テレスコープ型支柱４３に達するぐらいの長さに短く適切に調整することが可能である。このアセンブリが前記主要梁４２の両端に隣接した壁の間に位置している場合であっても、吊設された緩いギアを用いて、水平面でのジグザグ移動によって、２本の支柱４３からこの軸を開放する。
高さ調整中の更なるリフト能力および／または極めて深いテーブルトップの開放縁の屈曲に耐えうるような更なる頑丈さを得るため、追加の支柱が、端部支柱４３の間の中間部で実装することも可能である。第一の状況では、標準的な手動テレスコープ型支柱４３が使用される。後者の状況では、耐荷精密誘導機能のみがこの状況で使用されるため、個々の駆動操作で使用される（同じ）型の“エンプティ”テレスコープ型支柱が使用される。またこのような形態は、もちろん軸を通すための２つの穴を備える。例えば、このキッチンテーブルトップを他の新たなレイアウトに模様替えする場合、この実装軸１０に沿って新しい位置への摺動を防ぎながら、この壁の別側の固定設置でのこの新しい位置へ、ギア４５を移動させるためのように、上記の同調軸１０に関するこの場合での開放について、この新たな第３の脚は、この軸に追動するため、主要梁、壁、または床から開放されなければならない。この場合の利点は、このアセンブリの全体にわたる位置決めと安定性が、この作業中に保たれ、これによって追加の脚は、その後容易に再実装できることである。脱着可能な種類の適切な結合装置、或いは、２つの軸端を安全に受容するだけの十分長い貫通穴を有する既存の駆動系の部品要素により、結合され、そして／または誘導される適切な長さのより短い軸部を使用することで、このような状況を防ぐことも、もちろん可能である。
【００５３】
更にもちろん、図２と図４の従来技術のように本発明のアセンブリ４１の自動化形態も、個々に駆動器を作動させたテレスコープ型支柱を用いて構築可能である。移動と往復を共通に電気制御する駆動器を備えた形態では、もちろん、手動操作で使用される部品１３、４５、５７、および１０、そして支柱４３ももちろん設置されることはない。しかし、主要梁４２、実装手段と接続金具５１とを備えたブラケット４４、そして、想定される複数の脚４と足３は、同一の部品である。それゆえ、今後手動駆動から自動駆動への移行を、既に完全装備され使用可能な本発明のアセンブリにおいて実現するのは、また容易である。
【００５４】
特に、それぞれのテレスコープ型支柱での個々の自動化型駆動器は、仮にこれら支柱間のスペースが他の目的で使用されることで、同調軸および／または駆動機のための余地がなくても、この支柱の同調移動に向けた有益な可能性を切り開く。更に、台所などの隅部の設置では、２本の主要梁４２のような組み合わせは、個々に駆動させた支柱手段により可能である。このような場合では、少なくとも３本の駆動器を備えた支柱を通常使用する。この際、隅部またはその近くの一本が、この両主要梁４２の端部を支えることで、使用される。隅にある別の主要梁の端部での溝５３へと摺動する第二固定部の用の耳として機能させるため、図６での固定部５４の下方で支柱上部で示される突出部が変更される。３本の全支柱を同時に電気制御することで、角度を成した微小な同調伝達を避けることができる。このように角度を成したテーブル表面へしばしば寄与するこの２つのテーブルトップの部品間の結合線がこのブラケットを介した結合端の手動による安定な固定のため、このブラケット付近、あるいはその上部に配設されるように、２本の隅部の主要梁４２へのブラケット４４は位置決めされることが望ましい。ブラケット４４のテーブルトップ実装穴５６は、ブラケットに沿った適当な間隔の２つの列に配置され、このような結合線を支持する上で有効である。
【００５５】
今説明した様に、床への接触のため、支柱下端での脚または足を用いた隅部用の角度調整と、本発明によるアセンブリでの足を用いない図５での線調整の両者とも、壁に独立して床の上に単独で安定して立つことが可能である。更に、互いに面した脚上の２つの線調整等を備えた構成は、手動による安定が共通のテーブルトップを介して得ることが可能である場合には、安定な構造を得ることができる。それ故、更に本発明の組み合わせによるフリースタンド（自立）型のこのような明らかな使用も、本請求の範囲に含まれる。
【００５６】
もちろん、主要梁／ブラケット構造に同調した高さ調整のため、壁に備え付けた本発明によるアセンブリについても、このブラケットにより移動されるアセンブリへの距離を一定に保ち配設した食器棚などを移動させる拡張部と補助部を含むことも可能である。
【００５７】
図１１は、浴室に手洗い器を設置するための本発明の使用について示している。ここでは、特殊なブラケット５８を、あえて短い水平棒と実装用のスリット／穴に接触する鉛直面を備えて用いる。この方法では、鉛直壁は別の壁に設置した固定手洗い器を実装するように模倣される。更に、壁に備え付ける便器等もこの方法で設置される。仮に、このような例での本発明のアセンブリが、手洗い器自身よりもあまり幅がない場合には、軸１０と電気ギアモーター装置５７とを同調するために使用する空いたスペースを残すようにしてある。梁の端５９では、本発明による梁の形状断面の図１０以外のデザイン例とは区別できる。
【００５８】
図１２は、テーブルトップと洗面器とを含むベンチトップ型の手洗い器を実装するための本発明によるアセンブリの使用について示す。この例のような状況では、個々に駆動機が作動する支柱４３を用いた方法が選択される。このようなベンチトップ型洗面器全体を支持するため、ここで２本のブラケット４４が、フロントバー６０へと接続される。これによって、Ｕ字に近い形状の構造を形成する。この構造により、この洗面器の全ての端を連続的に支持できるようになる。更にこのような洗面器は、しばしば、強固ではあるが壊れ易いセラミック材質で形成されるために、望ましくは、ある荷重分散パッドを介して接合するほうが良い。バスタブなどは、これに準じて設置される。このバー６０は、溶接などを含めたすべての妥当な手段によってブラケット４４へと接続され、このバーは更に別の製品を実装するために追加で使用される。この例と図１１のような状況では、この洗面器に同調した移動や位置決めのため、本発明によるアセンブリの補助構造は、鏡および照明なども支持することが可能である。
【００５９】
本発明による、床上高さより上で高さを選択自在に調節するテレスコープ型耐荷フレームアセンブリの一部は手動操作形態、そして、一部自動ギアモーター／駆動器による動作形態の上記推奨実施例に加えて、他のあらゆる適切な手法、材料、部品、処置、代替案、類似品、詳細設計と構造なども、本発明の範囲内であっても良く、ここで開示された情報に基づく知識からのこのような実現は、当分野の技術者には何ら問題を示さない。
【００６０】
出願した本発明の範囲は、特許保護のため、添付した請求項によって明記される。
【図面の簡単な説明】
【００６１】
【図１】従来技術のテレスコープ型耐荷フレームアセンブリである。
【図２】従来技術のテレスコープ型耐荷フレームアセンブリである。
【図３】従来技術のテレスコープ型耐荷フレームアセンブリである。
【図４】従来技術のテレスコープ型耐荷フレームアセンブリである。
【図５】複数の脚と手動駆動器を備えて実装された状態の本発明のアセンブリを示す。
【図６】図５の実施例を僅かに展開した形態を示す。
【図７】主要梁逃げ溝用の固定及び調整手段を備えた本発明によるブラケットの上方からの斜視図である。
【図８】主要梁の鉛直側へと装着されるようにした図７における本発明のブラケット端部を示す。
【図９】開放端から実装手段を備えた耳へと向けて見た状態の図７および／または図８によるブラケットを示す。
【図１０】主要梁におけるそれぞれの逃げ溝に配置された固定部を示した低品質の写真を示す。
【図１１】壁に取り付けられた洗面台用に専用ブラケットを用いて、浴室での手洗い台を装着するための本発明によるアセンブリの使用を示す。
【図１２】アセンブリ上に乗せることで、下から支えるような組み込みベンチトップ型の手洗い器を装着するための本発明によるアセンブリの使用を示す。
【図１】
2007533923.tif 000003
【図２】
2007533923.tif 000004
【図３】
2007533923.tif 000005
【図４】
2007533923.tif 000006
【図５】
2007533923.tif 000007
【図６】
2007533923.tif 000008
【図７】
2007533923.tif 000009
【図８】
2007533923.tif 000010
【図９】
2007533923.tif 000011
【図１０】
2007533923.tif 000012
【図１１】
2007533923.tif 000013
【図１２】
2007533923.tif 000014
【国際調査報告】
2007533923.tif 000015
2007533923.tif 000016